(57)【要約】【課題】皮膚を加温あるいは冷却する機能を備えた、使用感が良くかつ携行にも適しているシート状化粧用品を得る。【解決手段】シート状化粧用品１において、共に不透水性の表側シート部材３１と裏側シート部材とを接合部１３で接合して、袋状の第１室１１、２１および第２室１２、２２を形成する。第１室１１、２１には水と混合されると温度上昇する第１成分１５を収容し、第２室１２、２２には水を含む第２成分１６を収容する。第１室１１、２１と第２室１２、２２とは、弱接合部１３Ｅを含む接合部１３で仕切り、第２成分１６を第１室１１、２１に向けて押したとき、弱接合部１３Ｅが破られて、第２成分１６が第１成分１５に混合されるようにする。こうして温度上昇する第１室１１、２１の領域を、皮膚付着層によって皮膚に付着可能としておく。【選択図】図１
2020058633.tif 000002
【特許請求の範囲】
【請求項１】
共に不透水性の表側シート部材と裏側シート部材とが周縁部を互いに接合することによって、袋状に画成された第１室と、
共に不透水性の表側シート部材と裏側シート部材とが周縁部を互いに接合することによって、前記第１室に隣接する位置において袋状に画成された第２室と、
前記第１室と第２室との間を仕切り、外力を受けて前記第１室と第２室とを連通させるように破られる仕切部と、
前記第１室に収容された、水と混合されると温度上昇または温度低下する第１成分と、
前記第２室に収容された、水を含む第２成分と、
前記表側シート部材および裏側シート部材の一方においてその外表面上の前記第１室と重なる位置に設けられた、人体の皮膚に付着し得る皮膚付着層と、
を有するシート状化粧用品。
【請求項２】
前記第１室と第２室との組が、該第１室と第２室との並び方向と交わる方向に、間に隔壁を置いて複数組設けられ、
各組の前記第１室同士が、前記第１室と第２室との並び方向と交わる方向に並んで隣接している、
請求項１に記載のシート状化粧用品。
【請求項３】
前記仕切部が、前記第２室内の前記第２成分を前記第１室に向けて押す力によって破られるものである、
請求項１または２に記載のシート状化粧用品。
【請求項４】
前記第１成分が、水と混合されると温度上昇する成分である、
請求項１から３いずれか１項に記載のシート状化粧用品。
【請求項５】
前記第１成分が酸化カルシウムである、
請求項４に記載のシート状化粧用品。
【請求項６】
前記第２成分が食塩水である、
請求項４または５に記載のシート状化粧用品。
【請求項７】
前記皮膚付着層が水を含み得る層であって、温度低下層としても機能する、
請求項４から６いずれか１項に記載のシート状化粧用品。
【請求項８】
前記温度低下層としても機能する皮膚付着層がハイドロゲルからなる、
請求項７に記載のシート状化粧用品。
【請求項９】
前記温度低下層としても機能する皮膚付着層が不織布からなる、
請求項７に記載のシート状化粧用品。
【請求項１０】
前記第１成分が、水と混合されると温度低下する成分である、
請求項１から３いずれか１項に記載のシート状化粧用品。
【請求項１１】
前記第２室が、前記仕切部より遠い側から該仕切部に近い側に向かって次第に断面積が小さくなる形状である、
請求項１から１０いずれか１項に記載のシート状化粧用品。
【請求項１２】
前記第１室および第２室の各々の外形形状が、該第１室と第２室との間の境界部分よりも側外方に突出した形状である、
請求項１から１１いずれか１項に記載のシート状化粧用品。
【請求項１３】
前記皮膚付着層が、前記第１室のほぼ全域と重なる領域に設けられている、
請求項１から１２いずれか１項に記載のシート状化粧用品。
【請求項１４】
前記第１室を構成する前記表側シート部材と、前記第２室を構成する前記表側シート部材とが共通のシート部材である、
請求項１から１３いずれか１項に記載のシート状化粧用品。
【請求項１５】
前記第１室を構成する裏側シート部材と、前記第２室を構成する裏側シート部材とが共通のシート部材である、
請求項１から１４いずれか１項に記載のシート状化粧用品。
【請求項１６】
前記表側シート部材および裏側シート部材の一方がアルミニウムからなり、他方が合成樹脂からなる、
請求項１から１５いずれか１項に記載のシート状化粧用品。
【請求項１７】
前記皮膚付着層の、前記表側シート部材あるいは裏側シート部材と反対側の外表面に、離型シートが被着されている、
請求項１から１６いずれか１項に記載のシート状化粧用品。
【発明の詳細な説明】
【技術分野】
【０００１】
本発明は、皮膚に付着させて使用されるシート状化粧用品、特に詳しくは、皮膚を加温あるいは冷却する機能を有するシート状化粧用品に関するものである。
【背景技術】
【０００２】
従来、例えば特許文献１および２に示されているように、人体の皮膚、特に目の周りの皮膚を加温する化粧用品が知られている。より詳しくは、特許文献１に示された化粧用品は、目の乾きを防止することを目的として、目や目の周囲に５０°Ｃ以下の温度の水蒸気を供給するように構成された、アイマスク状の化粧用品である。また特許文献２に示された化粧用品は、目の周りの肌への化粧料の浸透促進を目的として、化粧料含浸部から供給される化粧料を発熱部によって加温するように構成された、シート状の温熱化粧用品である。
【０００３】
上述の通り、特許文献１および２に示された化粧用品は、目の乾き防止や、化粧料の浸透促進を本来の目的とするものであるが、皮膚、特に目の周りの皮膚を加温することは、血流促進による美容効果や、気分をリラックスさせる効果を化粧用品使用者にもたらすものでもある。そこで、主としてそのような効果を得るために、特許文献１および２に示された化粧用品を用いることも考えられる。また加温とは反対に、目の周りの皮膚等を冷却することも、化粧用品使用者の気分をリラックスさせる効果を奏するものである。
【先行技術文献】
【特許文献】
【０００４】
【特許文献１】特許第３６２９９５６号公報
【特許文献２】特開２０１０−５１４８６号公報
【発明の概要】
【発明が解決しようとする課題】
【０００５】
特許文献１および２に示された化粧用品は、酸化鉄等の金属粉が酸化する際の反応熱（いわゆる酸化熱）を利用するものであって、使用前には密閉された包装袋内に封入され、使用に際して包装袋を破って金属粉を空気に触れさせるように用いられる。このような化粧用品においては、包装袋を破ってから使用に適した温度に達するまでに長い時間がかかるという問題が認められている。
【０００６】
なお特許文献１および２には、発熱部から発熱させるために、金属粉の酸化熱を利用する他、酸とアルカリの中和熱や、無機塩類の水和熱を利用することも示されているが、それらの中和熱や水和熱を利用する場合に化粧用品をどのように構成すればよいのか、具体的な説明はなされていない。
【０００７】
本発明は上記の事情に鑑みてなされたものであり、皮膚を加温あるいは冷却する機能を備えた上で、使用に適した温度に短時間で設定できるシート状化粧用品を提供することを目的とする。
【課題を解決するための手段】
【０００８】
本発明によるシート状化粧用品は、
共に不透水性の表側シート部材と裏側シート部材とが周縁部を互いに接合することによって、袋状に画成された第１室と、
共に不透水性の表側シート部材と裏側シート部材とが周縁部を互いに接合することによって、第１室に隣接する位置において袋状に画成された第２室と、
上記第１室と第２室との間を仕切り、外力を受けてこれらの第１室と第２室とを連通させるように破られる仕切部と、
第１室に収容された、水と混合されると温度上昇または温度低下する第１成分と、
第２室に収容された、水を含む第２成分と、
上記表側シート部材および裏側シート部材の一方においてその外表面上の第１室と重なる位置に設けられた、人体の皮膚に付着し得る皮膚付着層と、
を有することを特徴とするものである。
【０００９】
なお上述の仕切り部は、表側シート部材と裏側シート部材とが接合されている第１室の周縁部と、同様の第２室の周縁部とを、一部でオーバーラップするように（つまり第１室および第２室の共通の周縁部を構成するように）形成し、このオーバーラップしている周縁部の少なくとも一部を、他の部分よりも小さい力で破られ得るようにして構成することができる。
【００１０】
あるいは、第１室の周縁部と第２室の周縁部とを互いに離れている状態に形成し、それら２つの周縁部の間に、一端および他端がそれぞれ第１室、第２室に連通する通路を設け、その通路に仕切部を介設してもよい。
【００１１】
以上のような仕切部は、第２室内の第２成分を第１室に向けて押す力によって破られるものであることが望ましい。しかしそれに限らず、第２成分を押すこととは関係無く、独自の力で破られるように構成されても構わない。
【００１２】
また、皮膚付着層が「外表面上・・・に設けられた」とは、その外表面に接して設けられている場合と、何か別の層を間に介して設けられている場合の双方を含むものとする。また、「第１室と重なる位置」とは、皮膚付着層の少なくとも一部が第１室と重なる状態になる位置を意味する。
【００１３】
また、皮膚付着層の外表面つまり、表側シート部材あるいは裏側シート部材と反対側の表面には、離型シートが被着されていてもよい。そのような離型シートの形状は皮膚付着層の形状と同じであってもよいし、異なっていてもよい。ただし、シート状化粧用品の使い勝手を良くする上では、皮膚付着層の全域に亘って離型シートが被着されていることが望ましい。
【００１４】
また、本発明のシート状化粧用品においては、第１室と第２室との組が、該第１室と第２室との並び方向と交わる方向に、間に隔壁を置いて複数組設けられ、そして各組の第１室同士が、第１室と第２室との並び方向と交わる方向に並んで隣接する状態に配置されていることが望ましい。
【００１５】
他方、上記の第１成分は、水と混合されると温度上昇する成分であることが望ましい。そのような成分として具体的には、酸化カルシウムが挙げられる。
【００１６】
上述のように第１成分が、水と混合されると温度上昇する成分である場合、第２成分は食塩水であることが望ましい。
【００１７】
また第１成分が、水と混合されると温度上昇する成分である場合は、皮膚付着層が、水を含み得る層であって温度低下層としても機能することが望ましい。そのような皮膚付着層として具体的には、ハイドロゲルからなる層や、不織布からなる層が挙げられる。
【００１８】
第１成分は上記とは反対に、水と混合されると温度低下する成分であってもよい。
【００１９】
また、本発明のシート状化粧用品においては、第２室が、第１室との仕切部より遠い側から該仕切部に近い側に向かって次第に断面積が小さくなる形状とされていることが望ましい。
【００２０】
また、本発明のシート状化粧用品においては、第１室および第２室の各々の外形形状が、該第１室と第２室との間の境界部分よりも側外方に（つまり、第１室と第２室の並び方向と交わる方向に）突出した形状であることが望ましい。
【００２１】
また、本発明のシート状化粧用品においては、皮膚付着層が、第１室のほぼ全域と重なる領域に設けられていることが望ましい。
【００２２】
また、本発明のシート状化粧用品においては、第１室を構成する表側シート部材と、第２室を構成する表側シート部材とが共通のシート部材であることが望ましい。同様に、第１室を構成する裏側シート部材と、第２室を構成する裏側シート部材とが共通のシート部材であってもよい。
【００２３】
具体的に、表側シート部材および裏側シート部材の一方はアルミニウムから構成し、他方は合成樹脂から構成することができる。
【発明の効果】
【００２４】
本発明によるシート状化粧用品は、以上述べた通りの第１室、第２室、仕切部、第１成分、第２成分および皮膚付着層を有するものであるので、仕切部を破れば、第１室と第２室とが連通して、第１室内の第１成分に第２成分が混合される。それにより第１室は、温度上昇または温度低下するようになる。この状態となってから皮膚付着層を利用して人体の皮膚、特に目の周りの皮膚等に、第１室を構成している表側シート部材あるいは裏側シート部材を付着させることができる。そこでこの第１室により、目の周りの皮膚等を加温したり、あるいは冷却することができる。こうしてシート状化粧用品の使用者に、血流促進による美容効果や、あるいは、気分をリラックスさせる効果がもたらされる。なお上記とは反対に、シート状化粧用品を皮膚に付着させてから仕切部を破ってもよく、その場合も上記と同様の効果が得られる。
【００２５】
そして本発明によるシート状化粧用品は、水と混合されると温度上昇または温度低下する第１成分と、水を含む第２成分とを利用して皮膚付着層を加温または冷却するように構成されたものであるので、酸化熱を利用して加温するような場合と異なって、皮膚付着層を使用に適した温度に短時間で設定可能となる。そこで本発明によるシート状化粧用品は、例えばオフィスなどでデスクワークの間に短時間で使用可能となる。
【図面の簡単な説明】
【００２６】
【図１】本発明の第１実施形態によるシート状化粧用品の表側を示す平面図
【図２】図１のシート状化粧用品の裏側を示す平面図
【図３】図１のシート状化粧用品のＡ−Ａ線に沿った断面を示す側断面図
【図４】図１のシート状化粧用品の使用状態を説明する概略図
【図５】本発明の第２実施形態によるシート状化粧用品を示す平面図
【図６】本発明の第３実施形態によるシート状化粧用品を示す平面図
【図７】本発明の第４実施形態によるシート状化粧用品を示す平面図
【図８】本発明の第５実施形態によるシート状化粧用品を示す斜視図
【図９】本発明の第６実施形態によるシート状化粧用品を示す斜視図
【図１０】本発明によるシート状化粧用品の包装形態の一例を示す斜視図
【発明を実施するための形態】
【００２７】
以下、図面を参照して本発明の実施形態について説明する。図１および図２はそれぞれ、本発明の第１実施形態によるシート状化粧用品１をその表側、裏側から見た平面形状を示している。また図３はこのシート状化粧用品１の、図１中のＡ−Ａ線に沿った部分の断面形状を示している。
【００２８】
図１〜図３に示されるように本実施形態のシート状化粧用品１は、それぞれ薄く形成された４つの小室、つまり左側第１室１１、右側第１室２１、左側第２室１２および右側第２室２２を有している。これらの小室は、不透水性の表側シート部材３１と同じく不透水性の裏側シート部材３２とを、各小室の周縁部となる部分で小幅に接合することによって形成されている。なおこれらの図１〜図３では、上記小幅の接合部を１３として示している。また図３では、表側シート部材３１および裏側シート部材３２等の厚さを、実際よりも誇張して大きく示している。
【００２９】
不透水性の表側シート部材３１としては、例えば積層構造を有する透明合成樹脂フィルムが用いられている。より具体的に、この透明合成樹脂フィルムとしては、凸版印刷株式会社製のＧＸフィルムやＧＬフィルム等が好適に用いられる。これらのフィルムは、ＰＥＴ（ポリエチレンテレフタレート）やナイロン等からなるベースフィルムの上に、アルミナ、酸化ケイ素等からなる無機蒸着バリア層および、コーティングバリア層を積層して構成されたものである。このようなフィルムから形成された場合、不透水性の表側シート部材３１は、気密性も備えたものとなる。一方、不透水性の裏側シート部材３２としては、例えばアルミニウムフィルムが用いられている。そして裏側シート部材３２に対して表側シート部材３１が小幅の接合部１３において、例えば超音波溶着や熱溶着等によって接合されて、左側第１室１１、右側第１室２１、左側第２室１２および右側第２室２２が形成されている。つまりそれらの小室は各々、接合部１３を周縁部とする、その内側の領域である。
【００３０】
左側第１室１１と左側第２室１２とは、それらを隔絶させる仕切部である小幅の接合部１３を間に置いて互いに隣接している。また右側第１室２１と右側第２室２２も、同様にそれらを隔絶させる仕切部である小幅の接合部１３を間に置いて互いに隣接している。以上のように仕切部として機能する２つの接合部１３には、それぞれ、該接合部１３の他の部分よりも小さい力で裏側シート部材３２から剥離され得る弱接合部（イージーピール部）１３Ｅが含まれている。弱接合部１３Ｅは、外観上明確に視認できるものではないが、図１および図３では、それらの弱接合部１３Ｅの領域に斜線を付して示している。それは、他の図でも同様である。弱接合部１３Ｅは、仕切部として機能する部分の接合部１３の長さ方向略中央位置に形成されている。各弱接合部１３Ｅは、第１室１１、２１側の幅が第２室１２、２２側の幅よりも狭いテーパ形状とされている。
【００３１】
左側第１室１１および右側第１室２１内にはそれぞれ、水と混合されると温度上昇する第１成分１５が収容されている。一方、左側第２室１２および右側第２室２２内にはそれぞれ、水を含む第２成分１６が収容されている。一例として上記第１成分１５は粉末状の酸化カルシウムであり、第２成分１６は食塩水である。なお図１では、第１成分１５と第２成分１６とに互いに異なる模様を付けて示している（以下、同様）。
【００３２】
本実施形態においては、図１に明示されるように、第１室と第２室との組が２組設けられている。すなわち、左側第１室１１と左側第２室１２との組に加えて、右側第１室２１と右側第２室２２との組が設けられている。これらの２組は、左側第１室１１と左側第２室１２との並び方向（これは右側第１室２１と右側第２室２２との並び方向と略同じである）と交わる方向に並べて配置されている。これらの２組は、隔壁となる直線状の接合部１３を間に置いて配置されている。こうして左側第１室１１と右側第１室２１とは、上記２組の並び方向に並んだ状態となっている。
【００３３】
左側第２室１２は左側第１室１１に向かって、つまり両者の間に有る接合部１３より遠い側から該接合部１３に近い側に向かって、次第に幅が（つまり断面積が）小さくなる形状とされている。同様に右側第２室２２も右側第１室２１に向かって、つまり両者の間に有る接合部１３より遠い側から該接合部１３に近い側に向かって、次第に断面積が小さくなる形状とされている。なお一例として、本実施形態のシート状化粧用品１の最大全幅（図１中の左右方向寸法）は６０ｍｍ程度、最大全高（図１中の上下方向寸法）は９０ｍｍ程度とされ、また右側第１室２１の最大全高は２０ｍｍ程度とされる。
【００３４】
図２および図３に示されるように、裏側シート部材３２の外表面（表側シート部材３１と反対側の表面）の一部領域には、粘着層１７を介してハイドロゲル層１８が固定され、さらにその上には離型シート１９が被着されている。これらの粘着層１７、ハイドロゲル層１８および離型シート１９は、それぞれ基本的に裏側シート部材３２の一部領域と同じ形状とされている。この裏側シート部材３２の一部領域とは、左側第１室１１および右側第１室２１と全面的に重なる領域である。したがってハイドロゲル層１８は、裏側シート部材３２および粘着層１７を間に介して、左側第１室１１および右側第１室２１と全面的に重なる位置に配されている。なおハイドロゲル層１８は後に説明するように、温度低下層としても機能する。
【００３５】
次に、以上述べた構成を有するシート状化粧用品１の作用について説明する。このシート状化粧用品１は、一般的なシート状化粧用品と同様に、密閉された包装袋（図示せず）内に封入された状態で販売される。そして使用に際してシート状化粧用品１は、包装袋から取り出された後、表側シート部材３１の側が視認できるように、裏側シート部材３２の側が机や掌の上に置かれる。そしてその状態下で、使用者の指先等により、左側第２室１２内の第２成分１６が左側第１室１１の方に向けて押し込まれ、また、右側第２室２２内の第２成分１６が右側第１室２１の方に向けて押し込まれる。
【００３６】
このように第２成分１６が押し込まれると、その押す力によって、左側第２室１２と左側第１室１１との間の弱接合部１３Ｅおよび、右側第２室２２と右側第１室２１の間の弱接合部１３Ｅが共に裏側シート部材３２から剥離して、これら２つの弱接合部１３Ｅが破られる。そこで、左側第２室１２内の第２成分１６が左側第１室１１内に進入し、また、右側第２室２２内の第２成分１６が右側第１室２１内に進入する。このとき使用者は、第２成分１６の移動を確認しながら、該第２成分１６を押す力を適当に加減できるので、弱接合部１３Ｅ以外の部分の接合部１３までもが破られるようなことは通常起こらない。
【００３７】
左側第１室１１および右側第１室２１内に進入した第２成分１６はそれぞれ、各第１室１１および２１内において、そこに収容されていた第１成分１５と混合される。粉末状の酸化カルシウムからなる第１成分１５は、こうして食塩水からなる第２成分１６と混合されると、食塩水中の水が加えられることによって、温度が例えば４０°Ｃ程度まで上昇する。なお、この上昇したときの温度や、その温度以上の状態が持続される時間については、後に実施例に基づいて詳しく説明する。
【００３８】
使用者は、以上のようにして第１成分１５の温度、つまりは左側第１室１１および右側第１室２１の温度が上昇したことを指先等によって確認すると、次に離型シート１９を剥がして除去し、露出したハイドロゲル層１８の表面を自身の皮膚に押し付ける。このときの皮膚の部位は、血流促進による美容効果や、気分をリラックスさせる効果を得たい部位、例えば目の周り、特に目の下側の皮膚とされる。図４はそのときの状態を概略的に示している。ハイドロゲル層１８は粘着性を有して皮膚に粘着するので、使用者Ｈがシート状化粧用品１から手を離しても、このように使用者Ｈの皮膚にシート状化粧用品１が付着した状態が維持される。
【００３９】
こうして使用者Ｈは、血流促進による美容効果や、気分をリラックスさせる効果を得たい皮膚の部位を、温度上昇した左側第１室１１および右側第１室２１によって加温することができるので、望み通りの効果を得ることができる。なお前述した通りハイドロゲル層１８は、左側第１室１１および右側第１室２１と全面的に重なる領域に形成されているので、温度上昇した左側第１室１１および右側第１室２１の領域を、全面的に使用者Ｈの皮膚に付着させることが可能となっている。ただし、そのようにすることは必ずしも必要ではなく、左側第１室１１および右側第１室２１の少なくとも一部と重なる領域を、皮膚に付着させるようにすれば、その付着している皮膚の部位を効果的に加温可能となる。
【００４０】
また以上は、左側第２室１２および右側第２室２２を押し、その後シート状化粧用品１を皮膚に付着させる操作を使用者Ｈ自身が行う場合について説明したが、それらの操作を使用者Ｈ以外の者が行っても構わない。また、シート状化粧用品１を皮膚に付着させてから、左側第２室１２および右側第２室２２を押すようにしても構わない。
【００４１】
ここで、左側第１室１１と右側第１室２１との並び方向に関するそれらの合計長さは、皮膚の広い範囲を加温できるように、ある程度大きく確保する必要がある。しかし、それに対応させて、左側第２室１２および右側第２室２２もそれぞれ幅広に形成すると、左側第２室１２および右側第２室２２内の各第２成分１６を左側第１室１１および右側第１室２１に送り込むために、強い力が必要になることもある。
【００４２】
以上の点を考慮して本実施形態においては、左側第１室１１および左側第２室１２の外形形状が、それらの間の境界部分となっている接合部１３よりも側外方に突出した形状となっている。換言すれば、左側第１室１１と左側第２室１２とを合わせた全体の形状は、いわば上記境界部分で絞られた形となっている。この点は、右側第１室２１および右側第２室２２に関しても同様である。さらに本実施形態では、前述した通り左側第２室１２が、それと左側第１室１１との仕切部となる接合部１３より遠い側から該接合部１３に近い側に向かって次第に断面積が小さくなる形状とされている。この点は、右側第２室２２に関しても同様である。
【００４３】
以上の構成により、押された左側第２室１２および右側第２室２２内の第２成分１６は、仕切部となっている接合部１３に高い流速で到達し得る。そこで第２成分１６は、弱接合部１３Ｅを確実に破って、左側第１室１１および右側第１室２１内の隅々まで行き亘るようになる。その結果、第１室１１および２１内の酸化カルシウムからなる第１成分１５に偏り無く水が加えられ、第１室１１および２１がより均一に温度上昇するようになる。
【００４４】
さらに、以上の通り２つの左側第１室１１および右側第１室２１を設けておけば、それらを合わせたものと同じ大きさの第１室を１つだけ設けておく場合と比べて、各第１室１１および２１内に、より満遍なく第２成分１６が行き亘るようになる。それにより、第２成分１６と第１成分１５とがより均一に混合することになる。
【００４５】
なお、酸化カルシウムからなる第１成分１５が水を加えられて温度上昇する場合、その到達温度は基本的に酸化カルシウムの量によって定まる。しかし実用上は、何らかの事情により、第１成分１５が想定温度より高温になる事態にも備えておくことが望ましい。裏側シート部材３２および粘着層１７を介して第１室１１および２１に接するハイドロゲル層１８は、水を含んでいるので、水と混合した第１成分１５が、つまりは第１室１１および２１が過度に温度上昇することを抑える作用を奏する。
【００４６】
なおハイドロゲル層１８は、人体の皮膚に付着し得る皮膚付着層を構成するものであるが、皮膚付着層はそれに限らず、その他例えば不織布等から構成されてもよい。皮膚付着層が不織布から構成された場合、その不織布に水や化粧水を含ませると、皮膚に付着し得る状態となる。またその場合、水や化粧水を含んだ不織布は、温度低下層としても機能するものとなる。このように水や化粧水を含んだ不織布を適用する場合、シート状化粧用品１は、密閉した包装袋に入れた形態で販売等に供されるのが望ましい。その形態とする場合は、化粧水に薬剤も添付可能であって、シート状化粧用品の効能を拡げることができる。それに対して、前述した酸化鉄を利用する従来の化粧用品の場合は、酸化鉄を被覆するシート部材等に通気口を設ける必要があり、化粧水がその通気口を通って酸化鉄を濡らしてしまうので、化粧水を適用するのは困難である。
【００４７】
また本実施形態では、左側第１室１１および左側第２室１２の組と、右側第１室２１および右側第２室２２の組との間に、直線状に延びる接合部１３が存在している。そしてこの接合部１３は、一面側が、アルミニウムフィルムからなる裏側シート部材３２で構成されているので、その延びる方向に沿って折り曲げられると、その状態を保つように塑性変形可能である。そこでシート状化粧用品１を上記接合部１３の部分で折り曲げて、左側第１室１１および右側第１室２１の形状を、使用者Ｈの顔等の形状に合わせることができる。その状態にすれば、左側第１室１１および右側第１室２１からの熱が、使用者Ｈの皮膚に効率良く伝わるようになる。
【００４８】
次に図５〜図８を参照して、本発明の別の実施形態について説明する。なおそれらの図において、以上説明したものと同等の要素には同番号を付してあり、それらについての説明は、特に必要の無い限り省略する。
【００４９】
図５は、本発明の第２実施形態によるシート状化粧用品２の平面形状を示すものである。このシート状化粧用品２は、第１実施形態におけるのと同様の第１室１１および２１、並びに第２室１２および２２を有している。ただし第１室１１および２１はそれぞれ細長い形状とされている。このシート状化粧用品２を使用する際には、第１室１１および２１の部分を、例えば目の下側の皮膚に付着させて使用される。図示は省いているが、前述したハイドロゲル層１８等からなる皮膚付着層も、上記の使用状態を可能とする位置に形成されている。
【００５０】
そして、この使用状態にしてから、あるいはその前に、第２室１２内の第２成分１６が第１室１１に向けて押し込まれると共に、第２室２２内の第２成分１６が第１室２１に向けて押し込まれる。それにより２つの弱接合部１３Ｅが破られ、第１室１１および２１内の第１成分１５に第２成分１６が混合されることにより、第１成分１５が、つまりは第１室１１および２１が温度上昇する。
【００５１】
次に図６は、本発明の第３実施形態によるシート状化粧用品３の平面形状を示すものである。このシート状化粧用品３は、第１実施形態のシート状化粧用品１と同様に、２つ並んだ左側第１室１１および右側第１室２１を有し、そして使用状態下でそれらの上側に各々位置する所に、左側第２室１２および右側第２室２２を有している。このシート状化粧用品３を使用する際には、左側第２室１２内の第２成分１６が左側第１室１１に向けて押し込まれると共に、右側第２室２２内の第２成分１６が右側第１室２１に向けて押し込まれる。それにより２つの弱接合部１３Ｅが破られ、第１室１１および２１内の第１成分１５に第２成分１６が混合されることにより、第１成分１５が、つまりは第１室１１および２１が温度上昇する。
【００５２】
次に図７は、本発明の第４実施形態によるシート状化粧用品４の平面形状を示すものである。このシート状化粧用品４は、略楕円環状の接合部１３、それよりも小さい略楕円環状の弱接合部１３Ｅ、この弱接合部１３Ｅと接合部１３との間に形成された第１室４１、および弱接合部１３Ｅの内側に形成された第２室４２を有する。また、図示は省いているが、前述したハイドロゲル層１８等からなる皮膚付着層が、少なくとも上記第１室４１と整合する領域において裏面側に設けられている。
【００５３】
このシート状化粧用品４を使用する際には、第２室４２が全体的に潰すように押されることにより、弱接合部１３Ｅが全長に亘って、あるいは部分的に何箇所かにおいて破られる。それにより、第２室４２に収容されている第２成分１６が第１室４１内に進入して、該第１室４１内に収容されている第１成分１５と混合される。それにより、第１室４１が全体に温度上昇する。
【００５４】
次に図８は、本発明の第５実施形態によるシート状化粧用品５の斜視形状を示すものである。このシート状化粧用品５は、２つ並んだ左側第１室１１および右側第１室２１を有している。これらの第１室１１および２１は、四角形の枠状とされた接合部１３により周縁部が取り囲まれて構成されている。そして左側第１室１１および右側第２室２１には、それぞれ弱接合部１３Ｅを介して、左側第２室１２および右側第２室２２が本のぺージ状に連結されている。これらの第２室１２および２２も、四角形の枠状とされた接合部１３により周縁部が取り囲まれて構成されている。
【００５５】
このシート状化粧用品５を使用する際には、左側第２室１２内の第２成分１６が左側第１室１１に向けて押し込まれると共に、右側第２室２２内の第２成分１６が右側第１室２１に向けて押し込まれる。それにより２つの弱接合部１３Ｅが破られ、第１室１１および１２内の第１成分１５に第２成分１６が混合されることにより、第１成分１５が、つまりは第１室１１および２１が温度上昇する。
【００５６】
次に図９は、本発明の第６実施形態によるシート状化粧用品６の斜視形状を示すものである。このシート状化粧用品６においては、表側シート部材３１に設けられた左側第１室１１、右側第１室２１、左側第２室１２および右側第２室２２が、水泡状に形成されている。なお同図では、２つの第１室１１および２１に各々収容された第１成分と、２つの第２室１２および２２に各々収容された第２成分は図示を省いている。上記４つの室１１、２１、１２および２２は、例えば第１実施形態のシート状化粧用品１のものと比べてより大容積のものとされ、外力が作用しなければ水泡状の形を維持する。ただし第２室１２および２２は、それぞれ第１室１１および２１に向けて第２成分を送るために押し込まれると、弾性変形可能とされている。一方第１室１１および２１は同様に弾性変形可能とされた上で、送られて来た第２成分を受容することを見越して各容積が、当初収容する第１成分の体積よりも大きく設定されている。
【００５７】
上記の表側シート部材３１としては、例えばＰＰ（ポリプロピレン）、ＰＥＴ（ポリエチレンテレフタレート）、ＰＳ（ポリスチレン）、ＰＶＣ（ポリ塩化ビニル）等からなり、厚さ０．５ｍｍ以下程度である比較的薄い単層または積層のシート部材を好適に用いることができる。また、４つの室１１、２１、１２および２２は、例えば真空成型によって作成することができる。他方、裏側シート部材３２としては、例えば第１実施形態におけるものと同様のものを適用することができる。また図９では、先に図３等に示した粘着層１７、ハイドロゲル層１８および離型シート１９を特に示していないが、それらも基本的に、第１実施形態におけるものと同様に形成することができる。なお、裏側シート部材３２は以上のように形成する他に、表側シート部材３１と同じ上述の材料を適用した上で、例えば厚さを表側シート部材３１より大きく設定してもよい。そうすることにより裏側シート部材３２は、シート状化粧用品６の使い勝手を良くするために、ある程度高い剛性を備えたものとなり得る。
【００５８】
以上の構成を有するシート状化粧用品６も、基本的に第１実施形態のシート状化粧用品１と同様の作用、効果を奏することができる。それに加えて特にこのシート状化粧用品６は、４つの室１１、２１、１２および２２を水泡状のものとしたことにより、それらの室の各容積は十分に確保しつつ、表側シート部材３１および裏側シート部材３２の面積、特に第２室１２および２２が有る部分の面積を小さく抑える効果を奏する。そこでこのシート状化粧用品６は、コンパクトで使い勝手や見た目が良いものとなる。
【００５９】
なお、以上説明した６つの実施形態においては、第１室１１、２１、４１を構成する表側シート部材３１と、第２室１２、２２、４２を構成する表側シート部材３１とが共通のシート部材とされているが、第１室と第２室を構成する表側シート部材は互いに別の部材から構成されても構わない。また上記６つの実施形態においては、第１室１１、２１、４１を構成する裏側シート部材３２と、第２室１２、２２、４２を構成する裏側シート部材３２とが共通のシート部材とされているが、第１室と第２室を構成する裏側シート部材は互いに別の部材から構成されても構わない。さらに、表側シート部材と裏側シート部材はそれぞれ、上に例示したものとは別の不透水性材料から形成されてもよい。
【００６０】
また、第１室１１、２１あるいは４１と第２室１２、２２あるいは４２とを各々共通の接合部１３で仕切る他、第１室１１、２１あるいは４１と第２室１２、２２あるいは４２との間にそれぞれ接合部１３とは別に構成される通路を設けて、その通路に、外力によって破られる仕切部を設置するようにしてもよい。
【００６１】
さらに第１成分は、以上述べたように第２成分と混合されると温度上昇する成分に限らず、反対に、第２成分と混合されると温度低下する成分が適用されてもよい。その種の成分の例としては、硝酸アンモニウム、硫酸アンモニウム、尿素等が挙げられる。そのような第１成分を第１室に収容しておけば、温度低下した第１室によって目の周りの皮膚等を冷却することができ、それにより、化粧用品使用者の気分をリラックスさせる効果を奏することができる。
【００６２】
次に、本発明の数値実施例について説明する。本願発明者は、最初に第１成分と第２成分との組合わせとして、どのような成分の組合せが好適であるかを、３通りについて検討した。この３通りは、第１成分＝酸化カルシウム、第２成分＝水とするもの、第１成分＝酸化カルシウム、第２成分＝食塩水とするもの、第１成分＝酸化カルシウム、第２成分＝アルコール水溶液とするものである。この検討はまず、それらの第１成分および第２成分を、第１実施形態のシート状化粧用品１における第１室１１、２１や第２室１２、２２に収容することなく、開放系にて行った。この３通りの検討は、上記の記載順に検討３Ｂ、検討４Ｂ、検討５Ｂと称する。また各検討の番号に続けて「−１」や「−２」等の付番を付けて、第１成分と第２成分との重量比が異なる場合を区別している。その検討結果を、以下の表１〜表３に示す。
【００６３】
なお各表では上の行から下に向かって順に、第１成分の重量（単位はｇ）、第２成分の重量（単位はｇ）、開放系において第１成分と第２成分との混合物が表面温度３５°Ｃ以上に達したか否か、同じく表面温度５０°Ｃ以上に達したか否か、そして表面温度３５°Ｃ以上に達した場合の持続時間（単位は秒）を示している。
【００６４】
【表１】
2020058633.tif 000003
【００６５】
【表２】
2020058633.tif 000004
【００６６】
【表３】
2020058633.tif 000005
【００６７】
以上の検討３Ｂ、検討４Ｂおよび検討５Ｂから、それらにおける第１成分と第２成分との組合わせは、いずれも本発明に対して有効と判断できた。ただし、検討５Ｂにおいては、第１成分＝酸化カルシウムと第２成分＝アルコール水溶液との重量比に関わらず、上記表面温度が５０°Ｃ以上に達することがなかった。なお付言すれば、第１成分＝酸化カルシウムと第２成分＝無しの組合せと、第１成分＝無しと第２成分＝水の組み合わせでも、当然上記表面温度が上昇することは無かった。
【００６８】
以上の結果に基づいて次に、第１実施形態のシート状化粧用品１と同様の構成において、第１成分１５＝酸化カルシウムを第１室１１、２１に収容し、第２成分１６＝水を第２室１２、２２に収容したサンプルと、第１成分１５＝酸化カルシウムを第１室１１、２１に収容し、第２成分１６＝食塩水を第２室１２、２２に収容したサンプルとを作製し、各サンプルについて、表１〜表３におけるのと同様の項目について検討した。この２通りの検討を、上記の記載順に検討３Ａ、検討４Ａと称する。また各検討の番号に続けて「−１」や「−２」等の付番を付けて、第１成分と第２成分との重量比が異なる場合を区別している。その検討結果を、以下の表４に示す。
【００６９】
【表４】
2020058633.tif 000006
【００７０】
以上の検討３Ａから、第１成分１５＝酸化カルシウムとし第２成分１６＝水とする場合は温度が高くなり過ぎ、その半面、温度が好ましい場合はその温度の持続時間が短いことが判明した。そこで、検討３Ａのように第１成分１５＝酸化カルシウムとし第２成分１６＝食塩水として、第１実施形態のシート状化粧用品１を作製した。ここでは、第１成分１５である酸化カルシウムおよび第２成分１６である食塩水の重量はいずれも０．３ｇに統一した。また、表側シート部材３１および裏側シート部材３２の構成は、第１実施形態におけるものと同様とした。そして前述した皮膚付着層には、ハイドロゲル層あるいは不織布を適用した。
【００７１】
以上の構成において、皮膚付着層にハイドロゲル層を適用したサンプルを２つ作成し、各サンプルについて、それぞれハイドロゲル層上の温度変化を経過時間６０秒〜２４０秒の間で３０秒毎に測定した。これらの検討を上記記載の順に、検討４Ｃ−１、検討４Ｃ−２と称する。また、皮膚付着層に不織布を適用したサンプルを２つ作成し、各サンプルについて、それぞれ不織布上の温度変化を上記と同様に測定した。これらの検討を上記記載の順に、検討４Ｃ−３、検討４Ｃ−４と称する。これらの検討４Ｃ−１〜検討４Ｃ−４の結果を、以下の表５に示す。
【００７２】
【表５】
2020058633.tif 000007
【００７３】
以上の表５に示される通り、検討４Ｃ−１〜検討４Ｃ−４の場合は、前述した本発明による効果が得られる適切な温度範囲において、その適切な温度が長時間に亘って維持され得る。
【００７４】
以上述べたような実施形態を取り得る本発明のシート状化粧用品は、販売等に当たっては、先に述べたような包装袋に入れて取り扱う他に、ブリスターパックに収めた形態で取り扱うことも可能である。図１０はそのようなブリスターパックの一例を示すものである。ここでは一例として、前記第１実施形態のシート状化粧用品１を包装する場合を示している。ブリスターパック５０は、厚紙等からなる台紙５１と、シート状化粧用品１を収める凸部が真空成形等によって設けられた透明合成樹脂シート５２とから構成されている。上記凸部にシート状化粧用品１が収められた後、この凸部の周りの部分の透明合成樹脂シート５２が台紙５１と熱圧着等によって一体化されることにより、シート状化粧用品１がブリスターパック５０内に保持される。なお、台紙５１と透明合成樹脂シート５２とは、台紙５１の外縁部に折り返し部を形成し、そこに台紙５１の外縁部を挿し込むことにより一体化されてもよい。
【符号の説明】
【００７５】
１、２、３、４、５    シート状化粧用品
１１、２１、４１    第１室
１２、２２、４２    第２室
１３    接合部
１３Ｅ  弱接合部
１５    第１成分
１６    第２成分
３１    表側シート部材
３２    裏側シート部材
５０    ブリスターパック
Ｈ      使用者
【図１】
2020058633.tif 000008
【図２】
2020058633.tif 000009
【図３】
2020058633.tif 000010
【図４】
2020058633.tif 000011
【図５】
2020058633.tif 000012
【図６】
2020058633.tif 000013
【図７】
2020058633.tif 000014
【図８】
2020058633.tif 000015
【図９】
2020058633.tif 000016
【図１０】
2020058633.tif 000017